(57)【要約】【課題】  液晶表示パネルの画素ピッチを細密化しても接続電極パッド幅を大きく確保し、配線電極間の絶縁を保ち各配線の電気的特性を揃える。【解決手段】  表示電極（Ｙ１，Ｙ２，Ｙ３）および対向電極（Ｘ１，Ｘ２，Ｘ３）が配線電極（１４６，１４７，１４８）を介して接続電極パッド（１２６，１２７，１２８）に接続する液晶表示パネルにおいて、画素部の隣接する複数の表示電極または対向電極を１組とし、この１組の表示電極または対向電極に対応する複数の接続電極パッド（１２６，１２７，１２８）を表示領域（６０１）の外周辺に対して直交方向に直列配置したことを特徴とする。【選択図】    図１
2006208412.tif 000002
【特許請求の範囲】
【請求項１】
第１の基板と第２の基板の間隙に液晶層を有し、前記第１の基板上に設ける表示電極と、第２の基板上に設ける対向電極との重なり部を画素部として表示領域を形成し、該表示領域は複数の行と列に画素部を設けるマトリックス型を有し、前記表示電極および対向電極は配線電極を介して接続電極パッドに接続する液晶表示パネルにおいて、前記画素部の隣接する複数の表示電極または対向電極を１組とし、該１組の表示電極または対向電極に対応する複数の接続電極パッドを前記表示領域の外周辺に対して直交方向に直列配置したことを特徴とする液晶表示パネル。
【請求項２】
前記直列配置された複数の接続電極パッドの形状が略矩形であり、前記表示領域の外周辺に対して直交方向の長さが平行方向の幅より小である請求項１に記載の液晶表示パネル。
【請求項３】
前記直列配置された複数の接続電極パッドにおいて、前記表示領域から遠い接続電極パッドに接続される配線電極は、表示領域に近い接続電極パッドと平面的に重なる部分を有する請求項１又は２に記載の液晶表示パネル。
【請求項４】
前記直列配置された複数の接続電極パッドにおいて、前記表示領域に近い接続電極パッドと平面的に重なる配線電極部分の幅を狭幅とした請求項３に記載の液晶表示パネル。
【請求項５】
前記１組の表示電極または対向電極と接続電極パッドとを接続する１組の配線電極には各配線電極の配線電極抵抗を調整するための配線電極抵抗調整手段が設けられている請求項１乃至４項のいずれか１項に記載の液晶表示パネル。
【請求項６】
前記配線電極抵抗調整手段が前記配線電極の電極幅を調整する手段である請求項５項に記載の液晶表示パネル。
【請求項７】
前記直列配置された接続電極パッドの数が３の倍数である請求項１乃至６項のいずれか１項に記載の液晶表示パネル。
【請求項８】
前記配線電極上には絶縁膜を設けた請求項１乃至７項のいずれか１項に記載の液晶表示パネル。
【発明の詳細な説明】
【技術分野】
【０００１】
本発明は液晶表示装置に係り、液晶表示パネルの配線電極と接続電極パッドの構造に関する。
【背景技術】
【０００２】
近年ＯＡ(Office Automation)機器の軽量・薄型・短小化や電子システム手帳などＰＤＡ(Personal Digital Assistance)機器の高機能・大画面化に伴い、液晶表示パネルの高密度化と有効表示面積の拡大要求は留まらない。
【０００３】
液晶表示パネルは対向する基板２枚のマトリックス状電極により基板間の液晶を駆動するが、液晶表示パネルの高密度化、すなわち画素の細密化によりそれぞれの表示電極は細ピッチとなり、これに伴い引き出し配線部および液晶表示パネル駆動回路を接合あるいは液晶表示パネル駆動集積回路を搭載する接続電極パッド部、いわゆる液晶表示パネルの額縁は更なる狭幅化を迫られている。
【０００４】
液晶表示パネルの駆動回路は一般的に接続電極パッド部に直接液晶表示パネル駆動集積回路を搭載するＣＯＧ(Chip On Glass)実装、あるいは接続電極パッド部に液晶表示パネル駆動集積回路を搭載したテープフィルムの液晶表示パネル駆動回路を接続するＴＡＢ(Tape Automated Bonding)実装という方法があるが、いずれの方法においても接続パッド部は可能な限り大きくして液晶表示パネル駆動集積回路あるいは液晶表示パネル駆動集積回路を搭載したテープフィルムとの確実な導通と強固な接続が要求される。
【０００５】
図６は従来の液晶表示パネルの平面図であり、図７は図６に示す液晶表示パネルのＢ−Ｂ断面図である。図６において６００は液晶表示パネル、６０１は表示領域、６１３はＸ配線電極領域、６１６はＸ接続電極パッド領域、６２３はＹ配線電極領域、６２６はＹ接続電極パッド領域であり、６５１は表示領域６０１のＸ側外周辺、６６１は表示領域６０１のＹ側外周辺、Ａは後述する電極配線詳細部を示す。
【０００６】
図７に示す液晶表示パネルのＢ−Ｂ断面図はＣＯＧ実装で、接続電極パッド領域に液晶表示パネル駆動集積回路を直接搭載した例で説明する。前記液晶表示パネル６００の構成において、７１１は第１基板、７２１は第２基板、７０１は液晶層、７１２は表示電極群、７２２は対向電極群、７５１は液晶表示パネル駆動集積回路である。
【０００７】
液晶表示パネル６００の第１基板７１１と第２基板７２１は透明なガラス基板であって、第１基板７１１と第２基板７２１の対向する面にはそれぞれ表示電極群７１２と対向電極群７２２とを設けてあり、この表示電極群７１２と対向電極群７２２との間には液晶を注入した液晶層７０１が存在する。
【０００８】
前記液晶表示パネル６００において、表示領域６０１には第１基板７１１上に設けた表示電極群７１２と、第２基板７２１上に設けられ、前記表示電極群７１２に直交する対向電極群７２２との電極の重なり部分をマトリックス型の画素部が配置されている。画素部は行と列とに配置され、この表示領域６０１の対向電極群７２２からＸ配線電極領域６１３を介してＸ接続電極パッド領域６１６へ配線され、また表示電極群７１２からＹ配線電極領域６２３を介してＹ接続電極パッド領域６２６へ配線されている。そしてこのＸ接続電極パッド領域６１６およびＹ接続電極パッド領域６２６に液晶表示パネル駆動集積回路７５１を搭載している。
【０００９】
なお、図７の断面図では第２基板７２１上の対向電極群７２２からＸ配線電極領域６１３を経由してＸ接続電極パッド領域６１６へ導通する配線が存在して液晶表示パネル駆動集積回路を搭載してあるが、図７のＢ−Ｂ断面図には示していない。
【００１０】
また、対向電極群７２２は第２基板７２１側にあり、Ｘ配線電極領域６１３およびＸ接続電極パッド領域６１６を同一の第２基板７２１上に形成する場合と、Ｘ配線電極領域６１３とＸ接続電極パッド領域６１６とを第１基板７１１上に形成し、第２基板７２１側の対向電極群７２２と第１基板７１１側のＸ配線領域６１３とを、前記表示領域６０１のＸ側外周辺６５１に設けた接続電極にて導通させる場合があり、本実施例では後者の構成を示している。
【００１１】
図６および図７で説明した液晶表示パネル構造においては、液晶表示パネルの高密度化、すなわち画素の細密化を行うと電極配置が平面構造であることから当然画素間隔は狭幅となり、この結果画素から液晶表示パネルの外周へ引き出す配線電極は細ピッチとなり、これに接続する電極パッド幅も配線電極と同様に狭幅となってしまう。
【００１２】
しかし液晶表示パネル駆動集積回路を接続する接続電極パッド幅は可能な限り大きいことが望ましいことは先に述べた通りである。従来技術の液晶表示パネル構造における接続電極パッド幅の拡大手法を以下の図８に基づいて説明する。
【００１３】
図８は従来技術の液晶表示パネルの配線図を示し、図６における電極配線詳細部Ａに対応する。
図８において前記表示領域６０１に設けられた対向電極群７２２は複数の対向電極Ｘ１、Ｘ２、Ｘ３等で形成され、前記表示電極群７１２は複数の表示電極Ｙ１、Ｙ２、Ｙ３等で構成されており、対向電極群７２２の各対向電極Ｘ１、Ｘ２、Ｘ３と表示電極群７１２の各表示電極Ｙ１、Ｙ２、Ｙ３が直交交差する重なり部がひとつの画素を形成している。一例として対向電極Ｘ１と表示電極Ｙ３が重なる部分Ｇ１３がひとつの画素である。
【００１４】
前記表示領域６０１の隣接する表示電極Ｙ１、Ｙ２、Ｙ３を１組として考えた場合、前記Ｙ接続電極パッド領域６２６には、これらの表示電極Ｙ１、Ｙ２、Ｙ３に対応して第１接続電極パッド８２６、第２接続電極パッド８２７、第３接続電極パッド８２８が設けられ、これらの接続電極パッド８２６、８２７、８２８は各々前記Ｙ配線電極領域６２３に設けられた第１配線電極８４６、第２配線電極８４７、第３配線電極８４８により前記表示領域６０１の表示電極Ｙ１、Ｙ２、Ｙ３に接続されている。
【００１５】
同様に前記Ｘ接続電極パッド領域６１６には、前記表示領域６０１の隣接する対向電極Ｘ１、Ｘ２、Ｘ３を１組として考えた場合、これらの対向電極Ｘ１、Ｘ２、Ｘ３に対応して第１接続電極パッド８１６、第２接続電極パッド８１７、第３接続電極パッド８１８が設けられ、これらの接続電極パッド８１６、８１７、８１８は各々前記Ｘ配線電極領域６1３に設けられた第１配線電極８３６、第２配線電極８３７、第３配線電極８３８により前記表示領域６０１の対向電極Ｘ１、Ｘ２、Ｘ３に接続されている。
【００１６】
しかしこれらの隣接する表示電極Ｙ１、Ｙ２、Ｙ３に対応する接続電極パッド８２６、８２７、８２８を前記表示領域６０１のＹ側外周辺６６１に対して平行に並べた場合には、各接続電極パッド８２６、８２７、８２８の幅を各表示電極Ｙ１、Ｙ２、Ｙ３の幅より狭くしないと接続電極パッド同士が接触してしまうことになり、液晶表示パネル駆動集積回路の接続に必要な接続電極パッド幅が確保できないという問題があった。
【００１７】
図８のＹ接続電極パッド領域６２６は、この問題を解決しようとする接続電極パッド配置を示すもので、前記１組の接続電極
パッドにおける中央の第２接続電極パッド８２７を他の第１接続電極パッド８２６、第３接続電極パッド８２８より、前記表示領域６０１のＹ側外周辺６６１に対して符号ＶＹおよび矢印で示す直交方向に前記表示領域６０１に近い位置と表示領域６０１より遠い位置に交互にずらして配置し、前記第２接続電極パッド８２７への配線電極８４７を第１接続電極パッド８２６、第３接続電極パッド８２８の間に配置する、いわゆる千鳥配置にしている。この結果、前記一組の表示電極Ｙ１、Ｙ２、Ｙ３の幅の範囲において接続電極パッドの幅を表示電極の幅より広くすることができる。
【００１８】
なお、上記説明においては隣接する表示電極Ｙ１、Ｙ２、Ｙ３を１組としての千鳥配置についてのみ説明したが、図８に示す如く前記表示領域６０１のすべての表示電極に対応する接続電極パッドを、表示領域６０１のＹ側外周辺６６１に対して直交方向に、１個おきにずらして配置することにより前記Ｙ接続電極パッド領域６２６の全ての接続電極パッドが千鳥配置されるものである。同様に対向電極Ｘ１、Ｘ２、Ｘ３に付いても前記Ｘ接続電極パッド領域６１６のすべての接続電極パッドを、前記表示領域６０１のＸ側外周辺６５１に対して１個おきにずらして配置することにより千鳥配置されるものである。
【００１９】
すなわち、従来技術の液晶表示パネルの接続電極パッドは各接続電極パッドを交互に配線電極１本毎の千鳥配置として表示領域６０１に近い方の接続電極パッドの間を表示領域６０１より遠い方の接続電極パッドへの接続電極を通すことでＸ接続電極パッド領域６１６あるいはＹ接続電極パッド領域６２６の各接続電極パッドの幅を確保する構成が取られていた。
【００２０】
【特許文献１】特開２００２−１９６７０３
【発明の開示】
【発明が解決しようとする課題】
【００２１】
しかし、図８に示す千鳥配置された接続電極パッドにおいても、確かに接続電極パッドを前記表示領域６０１の外周辺に対して平行に並べた場合に比べれば、多少接続電極パッドの幅を広くすることが出来るが、その幅広にできる範囲は前記表示電極の幅の半分以下である。このことを図８により説明すると、例えば前記第１接続電極パッド８２６と第３接続電極パッド８２８との電極パッド幅を表示電極の幅から、表示電極幅の半分ずつ広くすると前記第１接続電極パッド８２６と第３接続電極パッド８２８とは接触してしまい、中央の第２接続電極パッド８２７に接続する配線電極８４７を配設するスペースが無くなってしまうことになる。従って、中央の第２接続電極パッド８２７の配線電極８４７を配設するスペースを考慮すると、前記第１接続電極パッド８２６と第３接続電極パッド８２８との電極パッド幅は、表示電極の幅より僅かに広くする程度に過ぎないことがわかる。
【００２２】
しかしながら、液晶表示パネルの高密度化、すなわち画素の細密化を実施すると前記表示電極Ｙ１、Ｙ２等の電極幅が狭幅となるため、前記接続電極パッド８２６、８２７等の電極パッド幅も狭幅となる。しかし、これらの接続電極パッドに液晶表示パネル駆動集積回路の電気的接続を行うには、接続電極パッドの大きさが一定以上の面積がないと電気的接続の信頼性を確保できない。このため、前記接続電極パッド８２６、８２７等の電極パッドの形状は電極パッド幅が狭幅な分だけ長さを大きくして面積を確保する必要がある。この結果電極パッドの形状が極端に細長い長方形となってしまい、この形状の悪さが液晶表示パネル駆動集積回路との電気的接続を行う上で信頼性を損なうという問題があった。
【００２３】
すなわち、本発明の目的は、液晶表示パネルと液晶表示パネル駆動回路あるいは液晶表示パネル駆動集積回路との確実な導通と強固な接続を実現することであり、構造的には接続電極パッド幅が画素ピッチの２倍以上の幅広を確保できて、長手方向、すなわち表示領域の外周辺に対して直交方向にも自由度があり、接続電極パッド面積設定が容易な液晶表
示パネルを提供することであり、液晶表示パネルの高密度化に伴う狭幅画素ピッチ起因する配線電極間の絶縁不良を防ぎ、電気的特性にも優れ、液晶表示パネル駆動集積回路設計の容易さも兼ね備えた信頼性の高い高密度化液晶表示パネルを提供することにある。
【課題を解決するための手段】
【００２４】
上記目的を達成するための本発明の液晶表示パネルは第１の基板と第２の基板の間隙に液晶層を有し、前記第１の基板上に設ける表示電極と、第２の基板上に設ける対向電極との重なり部を画素部として表示領域を形成し、該表示領域は複数の行と列に画素部を設けるマトリックス型を有し、前記表示電極および対向電極は配線電極を介して接続電極パッドに接続する液晶表示パネルにおいて、前記画素部の隣接する複数の表示電極または対向電極を１組とし、該１組の表示電極または対向電極に対応する複数の接続電極パッドを前記表示領域の外周辺に対して直交方向に直列配置したことを特徴とする。
【００２５】
すなわち、本発明の液晶表示パネルは画素部の隣接する複数の表示電極または対向電極を１組とし、この１組の表示電極または対向電極幅に対応する複数の接続電極パッドを表示領域外周辺に対して直交方向に直列配置する接続電極パッド部の効率的配置構造であるため、高密度化された液晶表示パネルの微細画素に対しても幅広で長手方向も自在な接続電極パッドを形成できるので、狭額縁でありながら液晶表示パネル駆動回路あるいは液晶表示パネル駆動集積回路との確実な導通と強固な接続ができる。
【００２６】
また、前記直列配置された複数の接続電極パッドの形状が略矩形であり、前記表示領域の外周辺に対して直交方向の長さが平行方向の幅より小であることを特徴とする。
【００２７】
すなわち、接続電極パッドの形状が表示領域の外周辺に対して平行方向には幅広、直交方向には短小であるため、接続電極パッド部、いわゆる液晶表示パネルの額縁の大きさを制約しながら、接続電極パッド部の形状を整えることで、液晶表示パネル駆動回路あるいは液晶表示パネル駆動集積回路との確実な導通と強固な接続を可能とする接続電極パッドを形成できる。
【００２８】
また、前記直列配置された複数の接続電極パッドにおいて、前記表示領域から遠い接続電極パッドに接続される配線電極は、表示領域に近い接続電極パッドと平面的に重なる部分を有することを特徴とする。
【００２９】
すなわち、表示領域から遠い接続電極パッドに接続される配線電極が表示領域に近い接続電極パッドと平面的に重なる部分を設けることにより平面配置の接続電極パッドより格段に幅広で面積が大きく液晶表示パネル駆動集積回路との確実な導通と強固な接続を可能とする接続電極パッドを形成できる。
【００３０】
また、前記直列配置された複数の接続電極パッドにおいて、前記表示領域に近い接続電極パッドと平面的に重なる配線電極部分の幅を狭幅としたことを特徴とする。
【００３１】
すなわち、絶縁膜で覆った配線電極上に形成した表示領域に近い接続電極パッドの下を通す配線電極の幅を狭幅とすることで接続電極パッドと配線電極の重なる部分の浮遊容量を減少できるので相互干渉が少なく応答速度の速い液晶表示パネルを提供できる。
【００３２】
また、前記１組の表示電極または対向電極と接続電極パッドとを接続する１組の配線電極には各配線電極の配線電極抵抗を調整するための配線電極抵抗調整手段が設けられていることを特徴とする。
【００３３】
すなわち、１組の接続電極パッドを表示領域外周辺に対して直交方向に直列配置してあ
るため表示領域に近い配線電極は短くて抵抗値は小さく、表示領域より遠い配線電極は長くて抵抗値は大きくなるが、各配線電極の配線電極抵抗を調整することで各接続電極パッド、すなわち、液晶表示パネル駆動回路側からみた液晶表示パネル駆動インピーダンス値を均一化できる。
【００３４】
また、前記配線電極抵抗調整手段が前記配線電極の電極幅を調整する手段であることを特徴とする。
【００３５】
すなわち、配線電極抵抗調整手段を配線電極の電極幅を調整することで配線抵抗調整部分の面積と浮遊容量を増やすことなく各配線電極のインピーダンス値を均一化できる。
【００３６】
また、前記直列配置された接続電極パッドの数が３の倍数であることを特徴とする。
【００３７】
すなわち、１組の直列配置された接続電極パッドの数が３の倍数であることで液晶表示パネル表示色の３原色に対応した同じ接続電極パッド構成の繰り返し構造となり液晶表示パネル駆動集積回路の設計が容易となる。
【００３８】
また、前記配線電極上には絶縁膜を設けたことを特徴とする。
【００３９】
すなわち、配線電極上を絶縁膜で覆うことで電極間の汚れや湿度による絶縁不良発生がなく配線間隔を狭く細ピッチ化することが容易となる。
【発明の効果】
【００４０】
すなわち、本発明によれば、接続電極パッド幅が画素ピッチの２倍以上の幅広を確保でき、かつ、長手方向、すなわち表示領域側外周辺対して直交方向に対しても自由度があり接続電極パッド面積設定が容易な液晶表示パネルを実現できるため、液晶表示パネルと液晶表示パネル駆動回路あるいは液晶表示パネル駆動集積回路との確実な導通と強固な接続を実現でき、液晶表示パネルの高密度化に伴う狭幅画素ピッチに起因する配線電極間の絶縁不良を防ぎ、電気的特性にも優れ、液晶表示パネル駆動集積回路設計の容易さも兼ね備えた信頼性の高い高密度化液晶表示パネルを提供することができるのである。
【発明を実施するための最良の形態】
【００４１】
以下、本発明の実施形態について図面に基づいて説明する。本発明の液晶表示パネルの基本構造は先の図６の平面図、図７の断面図に示した従来の一般的な液晶表示パネルと共通する。
【実施例１】
【００４２】
図１は図６に示す液晶表示パネルのＡ部の詳細配線図、図２は図１に示す第１接続電極パッド１２６のＣ−Ｃ断面図である。図３は本発明の配線電極と接続電極パッド構造の詳細平面図である。図１および図２において、図８の説明と同様に前記表示領域６０１は、Ｘ方向は対向電極Ｘ１、Ｘ２、Ｘ３を形成し、Ｙ方向は表示電極Ｙ１、Ｙ２、Ｙ３を形成しており、対向電極Ｘ１、Ｘ２、Ｘ３と表示電極Ｙ１、Ｙ２、Ｙ３が直交交差するマトリックス型である。そして対向電極Ｘ１、Ｘ２、Ｘ３と表示電極Ｙ１、Ｙ２、Ｙ３の重なり部がひとつの画素を形成しており、符号Ｇ１１、Ｇ１２、Ｇ１３、Ｇ２１、Ｇ２２、Ｇ２３、Ｇ３１、Ｇ３２、Ｇ３３で示す交点が各画素である。本実施例においてはそれぞれ隣接する３個の表示電極Ｙ１、Ｙ２、Ｙ３を一組とし、隣接する３個の対向電極Ｘ１、Ｘ２、Ｘ３を一組としており、一例として隣接する３個の表示電極Ｙ１、Ｙ２、Ｙ３の配線構造を説明する。
【００４３】
前記Ｙ接続電極パッド領域６２６には表示領域６０１のＹ側外周辺６６１に対して符号
ＶＹおよび矢印で示す直交方向に直列配置された、３個で１組のＹ第１接続電極パッド１２６、Ｙ第２接続電極パッド１２７、Ｙ第３接続電極パッド１２８が設けられている。前記Ｙ接続電極パッド領域６２６内のＹ第１接続電極パッド１２６、Ｙ第２接続電極パッド１２７、Ｙ第３接続電極パッド１２８は、表示電極Ｙ１、Ｙ２、Ｙ３を含む表示領域６０１のＹ側外周辺６６１に対して直交方向に表示領域６０１の近くからＹ第１接続電極パッド１２６、Ｙ第２接続電極パッド１２７、Ｙ第３接続電極パッド１２８の順に直列配置してある。
【００４４】
前記Ｙ接続電極パッド領域６２６のＹ第１接続電極パッド１２６、Ｙ第２接続電極パッド１２７、Ｙ第３接続電極パッド１２８は表示領域６０１の隣接する表示電極Ｙ１、Ｙ２、Ｙ３と対応していて、それぞれをＹ配線領域６２３のＹ第１配線電極１４６、Ｙ第２配線電極１４７、Ｙ第３配線電極１４８を介して接続している。また１０６は絶縁膜であり、前記Ｘ配線電極領域６１３、Ｘ接続電極パッド領域６１６、Ｙ配線電極領域６２３、Ｙ接続電極パッド領域６２６の全面に形成されている。
【００４５】
次に本発明の配線電極と接続電極パッドの形成方法について図１と図２を用いて説明する。図２は図１の第１接続電極パッド１２６のＣ−Ｃ断面を示す。第１基板７１１上に、図１におけるＹ第１配線電極１４６、Ｙ第２配線電極１４７、Ｙ第３配線電極１４８の導電層を形成する。また、各配線電極の先端、前記Ｙ第１配線電極１４６を例にとると、Ｙ第１配線電極１４６の先端部に後述するＹ第１接続電極パッド１２６との接続のための接続電極１０９との導電層を形成する。次にこれら金属層上を絶縁膜１０６で覆い、この絶縁膜１０６の前記接続電極１０９の位置に絶縁膜開口２０７を設ける。さらに、前記絶縁膜１０６上の絶縁膜開口２０７の位置にＹ第１接続電極パッド１２６の金属層を形成し、このＹ第１接続電極パッド１２６と接続電極１０９とを絶縁膜開口２０７を通して導通接続を行う。
【００４６】
上記構成によれば基板上に設けた配線電極上に絶縁膜を設け、この絶縁膜上に接続電極パッドを配置しているため、配線電極に関係なく接続電極パッドの配置や形状や大きさを決めることができ、さらに配線電極の位置や形状を決める上でも前記接続電極パッドの影響を少なくする事が可能となる。
【００４７】
前記表示領域６０１のＹ側外周辺６６１に対して直交方向に、１組の接続電極パッドが直列配置した範囲１５０において、Ｙ接続電極パッド１２６、１２７、１２８の各々の幅は、前記３個の表示電極Ｙ１、Ｙ２、Ｙ３の占める画素幅と略同じ幅まで広くする事が出来る。すなわち各Ｙ接続電極パッドのＹ側外周辺６６１に対する平行方向の幅は、一組のＹ表示電極の占める画素幅と略同じ幅まで広くする事が出来る。このことは、一組のＹ表示電極の数を最小の２個にした場合でも前記Ｙ接続電極パッドの平行方向の幅を画素幅の２倍に出来ることを意味している。また、前記Ｙ接続電極パッド１２６、１２７、１２８は表示領域６０１のＹ側外周辺６６１に対して直交方向に直列配置するので、各Ｙ接続電極パッドの直交方向の長さは制約を受けることがなく、前記第１基板７１１のサイズ内において自由に決めることが出来る。
【００４８】
また、カラー液晶表示パネルの表示色の３原色に対応した隣接した画素を１組とすることで、全体の接続電極パッド構成を各カラー画素同士が同一条件で配置される構造となる。例えば、Ｙ接続電極パッド１２６の列のＹ接続電極パッドには緑（Ｇ）色の信号が入力され、Ｙ接続電極１２７の列のＹ接続電極パッドには赤（Ｒ）色の信号が入力され、Ｙ接続電極１２８の列のＹ接続電極パッドには青（Ｂ）色の信号が入力されるようにする。このような構成とすれば、各カラー画素の駆動条件を同一にできると共に、液晶パネル駆動回路側の接続電極パッドに出力する信号も、接続電極パッド位置ごとに同一パターンの繰り返しとなるため液晶表示パネル駆動集積回路の設計も容易になる。また、隣接する画素に対応した電極の数を３の倍数（３×Ｎ）を１組とすることで、接続電極パッドの平行方
向の幅をさらに広くする事が可能となる。
【００４９】
以上は本発明の液晶表示パネルのＹ方向に関する電極構造の詳細であるが、Ｘ方向に関する電極構造もＹ方向に関する電極構造と同じ構造にした。
【００５０】
なお、上記表示領域の電極材料には透明性に優れた酸化インジウムスズ（ＩＴＯ：Indium Tin Oxide）膜など、配線電極や接続電極パッドには主として金属系のアルミニウム膜など、絶縁膜にはシリコンの酸化あるいは窒化膜等で生成する。
【００５１】
すなわち、本発明の液晶表示パネルは、配線電極上を絶縁膜で覆い、前記絶縁膜上に表示領域の外周辺に対して直交方向に接続電極パッドを直列に配置し、対応する前記配線電極と前記接続電極パッドは絶縁膜開口の接続電極を介して導通接続し、これら表示電極と配線電極と接続電極パッドの複数を１組とする配線ブロックを形成し、前記配線ブロックをＸ方向とＹ方向に直交対向して連ねた構造となっている。
【００５２】
次に本発明の接続電極パッドと配線電極の詳細を説明する。図３は図１に示す電極配線領域６２３の一部と接続電極パッド領域６２６の詳細を示す平面図である。
【００５３】
図３において３０３は配線電極抵抗調整領域であり、前記配線電極の一部に設けられている。図３では、Ｙ第１配線電極１４６、Ｙ第２配線電極１４７の一部、電極幅が細くなっている箇所である。１４６ａはＹ第１配線電極１４６の配線電極抵抗調整部、１４７ａはＹ第２配線電極１４７の配線電極抵抗調整部であり、いずれも本来のＹ第１配線電極１４６、Ｙ第２配線電極１４７よりも狭い電極幅となっていて、しかもこの狭い電極幅の長さが配線電極抵抗調整部１４６ａに比べて配線電極抵抗調整部１４７ａの方が短くなっており、またＹ第３配線電極１４８にはこの狭い電極幅の配線電極抵抗調整部が設けられていない。
【００５４】
この配線電極抵抗調整領域３０３を設ける理由は、前記接続電極パッド１２６、１２７、１２８は前記表示領域６０１のＹ側外周辺６６１に対して直交方向に直列配置してあるから、前記配線電極１４６、１４７、１４８の長さは表示領域６０１から遠いほど長くなり、その配線抵抗が増す事になる。この結果、表示領域６０１から接続電極パッド１２６、１２７、１２８までの配線電極抵抗値に差異が生じ、それぞれの接続電極パッドから見た液晶表示パネルの駆動条件が異なり画質が低下してしまうことになる。
【００５５】
そこで、本発明の液晶表示パネルは１組の配線電極の各配線電極１４６、１４７、１４８に配線電極抵抗調整領域１４６ａ、１４７ａを設けて各配線電極の経路条件を変えることで表示領域６０１から接続電極パッド１２６、１２７、１２８までの配線電極抵抗値を揃えている。
【００５６】
すなわち、Ｙ第３接続電極パッド１２８は表示領域６０１から最も遠い位置にあり、配線電極長が最も長く、配線電極抵抗値が高いので、この第３配線電極１４８の配線電極抵抗を基準にＹ第１配線電極１４６およびＹ第２配線電極１４７の配線電極抵抗調整部１４６ａ、１４７ａの幅と長さをそれぞれ変えることで表示領域６０１から接続電極パッド１２６、１２７、１２８までの各配線電極抵抗値を揃えている。
【００５７】
次に接続電極パッドと平面的に重なるように配置された配線電極の影響について説明する。前記配線電極１４６、１４７、１４８を絶縁膜１０６で被覆し、その絶縁膜１０６上に絶縁膜開口部２０７を介して接続電極パッド１２６、１２７、１２８を配置してあるので、各配線電極と各接続電極パッドが重なる部分は電気的な浮遊容量を持つことになる。この結果、各配線電極間及び各配線電極と各接続電極パッド間に相互干渉を生じ、また前
述の配線電極抵抗と各接続電極パッドと重なる部分の電気的容量により積分回路を形成して液晶パネルの応答速度を低下させる要因となる。
【００５８】
そこで、本発明の液晶表示パネルは各接続電極パッド下の各配線電極の幅を狭めて接続電極パッドと配線電極間に生ずる浮遊容量を低減する構造とした。以下Ｙ第１接続電極パッド１２６を例に説明すると、前記各配線電極１４６、１４７、１４８のＹ第１接続電極パッド１２６との重なり部１４６ｂ、１４７ｂ、１４８ｂは、各配線電極１４６、１４７、１４８の本来の電極幅より狭い電極幅としてある。従って、Ｙ第１接続電極パッド１２６と各配線電極１４６、１４７、１４８間に生ずる浮遊容量は本来の電極幅で平面的に重ねた場合に比べて減少し、液晶パネルの応答速度低下を低減できるのである。
【実施例２】
【００５９】
図４および図５は本発明の他の実施例であって、図４は実施例１における図１に対応し、図６に示す液晶表示パネルのＡ部の詳細配線図であり、図１と共通する構成には同一符号を付し説明を省略する。また図５は図４に示す配線電極と接続電極パッド構造の詳細平面図であり、前記実施例１における図３に対応する。
【００６０】
図４において図１と異なるところは主として前記Ｙ接続電極パッド領域６２６の構成である。すなわちＹ接続電極パッド領域６２６内のＹ第１接続電極パッド４２６、Ｙ第２接続電極パッド４２７、Ｙ第３接続電極パッド４２８は、前記表示領域６０１のＹ側外周辺６６１に対して符号ＶＹおよび矢印で示す直交方向に表示領域６０１の近い方からＹ第１接続電極パッド４２６、Ｙ第２電極パッド接続４２７、Ｙ第３接続電極パッド４２８の順に直列配置してあるが、この各Ｙ接続電極パッドの形状は前記Ｙ側外周辺６６１に対して平行な平行辺の長さが異なっている。すなわち表示領域６０１に近い方のＹ第１接続電極パッド４２６の平行辺Ｌ１の長さが最も短く、以下Ｙ第２電極パッド接続４２７の平行辺Ｌ２、Ｙ第３接続電極パッド４２８の平行辺Ｌ３の順に長くなっている。
【００６１】
そしてこれらの各Ｙ接続電極パッドは図４に示す如く、前記Ｙ側外周辺６６１に対する直交方向の一方の直交辺を揃えて配置することにより、他方の直行辺側に前記各Ｙ接続電極パッドの平行辺の長さの差に基づくスペースが形成される。そしてこのスペースに前記Ｙ配線電極領域６２３のＹ第２配線電極４４７、Ｙ第３配線電極４４８を配設するのである。すなわち表示電極Ｙ１とＹ第１接続電極パッド４２６を接続するＹ第１配線電極４４６は直接配線されているが、表示電極Ｙ２とＹ第２接続電極パッド４２７を接続するＹ第２配線電極４４７は前記Ｙ第１接続電極パッド４２６と、Ｙ第２接続電極パッド４２７との平行辺の長さの差に基づくスペースに配設され、また表示電極Ｙ３とＹ第３接続電極パッド４２８を接続するＹ第３配線電極４４８は前記Ｙ第２接続電極パッド４２７と、Ｙ第３接続電極パッド４２８との平行辺の長さの差に基づくスペースに配設される。
【００６２】
本実施例では表示電極Ｙ１とＹ第１接続電極パッド４２６間はＹ第１配線電極４４６を介して接続してあり、同様に隣接する表示電極Ｙ２、Ｙ３と接続電極パッド４２７、４２８を他の接続電極パッドを避けて配線電極４４７、４４８を介して接続してある。従って、表示領域６０１から近いＹ第１接続電極パッド４２６の電極パッド幅は狭く、遠いＹ第３接続電極パッド４２８の電極パッド幅は広くなり、各接続電極パッド４２６、４２７、４２８の平行辺の長さに差異が生じるが、本実施例においては、各接続電極パッド４２６、４２７、４２８の直交辺の長を変えることで各接続電極パッド４２６、４２７、４２８の面積を略同じにしている。
【００６３】
なお、図５に示す如く、本実施例においても実施例１と同じようにＹ接続電極パッド領域６２６とＹ配線電極領域６２３の上は絶縁膜４０６で覆ってあり、各接続電極パッド４２６、４２７、４２８はＹ第１接続電極パッド領域６２６に搭載する液晶パネル駆動集積
回路の接続部に合わせて絶縁膜４０６に絶縁膜開口５０７、５０８，５０９を設けてある。
【００６４】
なお、Ｙ第２配線電極４４７、Ｙ第３配線電極４４８の前記Ｙ第１接続電極パッド４２６とＹ第２接続電極パッド４２７の側辺を通す配線電極４４７ａ、４４８ａの部分は配線間隔が狭くなるが、前述のごとくＹ接続電極パッド領域６２６とＹ配線電極領域６２３上は絶縁膜４１６で覆ってあるため電極間の絶縁不良は発生を防止することができる。また各配線電極４４６、４４７、４４８には配線電極抵抗調整領域５０３を設けて各配線電極のインピーダンスを整合していることは、実施例１と同様である。
【００６５】
上記のごとく本発明は幅広で面積が大きな接続電極パッドを形成できることから液晶表示パネル駆動集積回路との良好な導通と強固な接続ができるとともに、絶縁膜を設けたことで配線電極の電極幅をできるだけ幅広にして、配線電極抵抗を低くし、配線電極間を微細ピッチとしても配線間の絶縁不良が発生しないという効果を生じる。また、各配線電極に配線電極抵抗調整領域５０３を設けて配線電極抵抗値を均一化しているため、液晶表示パネルの各画素の駆動条件を揃えて画質の向上を計ることができる。
【００６６】
上記各実施例では液晶表示パネル駆動回路をＣＯＧ実装にもとづいて説明したが、ＴＡＢ実装にも適用でき、また、表示領域はアクティブ型液晶表示パネルやパッシブ型液晶表示パネルの双方に適用できることは当然である。
【図面の簡単な説明】
【００６７】
【図１】本発明の実施例１であり、液晶表示パネルの詳細配線図である。
【図２】図１に示す第１接続電極パッド１２６のＣ−Ｃ断面図である。
【図３】図１に示す本発明の配線電極と接続電極パッド構造の詳細平面図である。
【図４】本発明の実施例２であり、液晶表示パネルの詳細配線図である。
【図５】図４に示す本発明の電極配線と接続電極パッド構造の詳細平面図を示す。
【図６】従来の液晶表示パネルの平面図である。
【図７】図６に示す液晶表示パネルのＢ−Ｂ断面図である。
【図８】従来技術の液晶表示パネルの配線図である。
【符号の説明】
【００６８】
１０６、４０６  絶縁膜
１０９  接続電極
１２６、８２６  Ｙ第１接続電極パッド
１２７、８２７  Ｙ第２接続電極パッド
１２８、８２８  Ｙ第３接続電極パッド
１４６  Ｙ第１配線電極
１４７、Ｙ第２配線電極
１４８  Ｙ第３配線電極
２０７、５０７  絶縁膜開口
３０３、５０３  配線電極抵抗調整領域
６００  液晶表示パネル
６０１  表示領域
６１３  Ｘ配線電極領域
６１６  Ｘ接続電極パッド領域
６２３  Ｙ配線電極領域
６２６  Ｙ接続電極パッド領域
７０１  液晶層
７１１  第１基板
７１２  表示電極
７２１  第２基板
７２２  対向電極
７５１  集積回路
８１６  Ｘ第１接続電極パッド
８１７  Ｘ第２接続電極パッド
８１８  Ｘ第３接続電極パッド
Ｘ１、Ｘ２、Ｘ３        対向電極
Ｙ１、Ｙ２、Ｙ３        表示電極
【図１】
2006208412.tif 000003
【図２】
2006208412.tif 000004
【図３】
2006208412.tif 000005
【図４】
2006208412.tif 000006
【図５】
2006208412.tif 000007
【図６】
2006208412.tif 000008
【図７】
2006208412.tif 000009
【図８】
2006208412.tif 000010